(57)【要約】【課題】着衣支援便座に座っている要介護者の下肢に介護者が被服を着衣させるに際し、介護者の負担を軽減する。【解決手段】着衣支援便座１は、ベースフレーム５と、ベースフレーム５上に設けられ、着座姿勢である要介護者Pの大腿支持部６の下面８に対向可能な大腿支持部６と、を備える。大腿支持部６は、前方に配置された前方支持部１０と、後方に配置された後方支持部１１と、を有する。前方支持部１０と後方支持部１１は前後方向で互いに分離している。後方支持部１１の前方部１４はベースフレーム５から上下方向に離間している。後方支持部１１の後方部１５は、後方支持部１１が上方に揺動可能となるように、ベースフレーム５に連結されている。【選択図】図４
2018000726.tif 000002
【特許請求の範囲】
【請求項１】
ベースフレームと、
前記ベースフレーム上に設けられ、着座姿勢である要介護者の大腿の下面に対向可能な大腿支持部と、
を備え、
前記大腿支持部は、前方に配置された前方支持部と、後方に配置された後方支持部と、を有し、
前記前方支持部と前記後方支持部は前後方向で互いに分離しており、
前記後方支持部の前方部は前記ベースフレームから上下方向に離間しており、
前記後方支持部の後方部は、前記後方支持部が上方に揺動可能となるように、前記ベースフレームに連結されている、
着衣支援便座。
【発明の詳細な説明】
【技術分野】
【０００１】
本発明は、着衣支援便座に関する。
【背景技術】
【０００２】
特許文献１は、便座に座っている要介護者が立ち上がるのを補助する立ち上がり補助装置を開示している。この立ち上がり補助装置は、便座を水平姿勢と前傾姿勢との間で揺動させる便座揺動手段を備えている。
【先行技術文献】
【特許文献】
【０００３】
【特許文献１】特開2009-213503号公報
【発明の概要】
【発明が解決しようとする課題】
【０００４】
しかしながら、上記特許文献１の構成では、便座に座っている要介護者の下肢に介護者が被服を着衣させるに際し、介護者が要介護者を持ち上げて要介護者の下肢を便座から離しつつ、要介護者の下肢に被服を着衣させる必要があった。
【０００５】
本発明の目的は、便座に座っている要介護者の下肢に介護者が被服を着衣させるに際し、介護者の負担を軽減する技術を提供することにある。
【課題を解決するための手段】
【０００６】
本願発明の観点によれば、ベースフレームと、前記ベースフレーム上に設けられ、着座姿勢である要介護者の大腿の下面に対向可能な大腿支持部と、を備え、前記大腿支持部は、前方に配置された前方支持部と、後方に配置された後方支持部と、を有し、前記前方支持部と前記後方支持部は前後方向で互いに分離しており、前記後方支持部の前方部は前記ベースフレームから上下方向に離間しており、前記後方支持部の後方部は、前記後方支持部が上方に揺動可能となるように、前記ベースフレームに連結されている、着衣支援便座が提供される。以上の構成で、便座に座っている要介護者の下肢に介護者が被服を着衣させるには、先ず、要介護者の下肢を浮かせることで前方支持部と大腿の間に隙間を作り、この隙間に被服の腰回りを挿入する。続いて、被服の腰回りを前方支持部と後方支持部の間の隙間から、後方支持部とベースフレームとの間に滑り込ませる。このとき、後方支持部は被服の内側に挿入されることになる。そして、要介護者を立ち上がらせると、後方支持部が上方へ揺動することで被服から自動的に引き抜かれ、もって、要介護者の下肢へ被服が着衣されることになる。従って、便座に座っている要介護者の下肢に介護者が被服を着衣させるに際し、介護者の負担を軽減することができる。
【発明の効果】
【０００７】
本発明によれば、便座に座っている要介護者の下肢に介護者が被服を着衣させるに際し、介護者の負担を軽減することができる。
【図面の簡単な説明】
【０００８】
【図１】着衣支援便座の斜視図である。（第１実施形態）
【図２】着衣支援便座の斜視図である。（第１実施形態）
【図３】着衣支援便座の側面図である。（第１実施形態）
【図４】着衣支援便座の側面図である。（第１実施形態）
【図５】着衣支援便座の側面図である。（第１実施形態）
【図６】着衣支援便座の斜視図である。（第２実施形態）
【図７】着衣支援便座の斜視図である。（第２実施形態）
【図８】着衣支援便座の底面図である。（第２実施形態）
【図９】着衣支援便座の側面断面図である。（第２実施形態）
【図１０】着衣支援便座の側面図である。（第２実施形態）
【図１１】着衣支援便座の側面図である。（第２実施形態）
【図１２】移乗機器の斜視図である。（第３実施形態）
【図１３】移乗機器と着衣支援便座の側面図である。（第３実施形態）
【図１４】移乗機器と着衣支援便座の側面図である。（第３実施形態）
【図１５】移乗機器と着衣支援便座の側面図である。（第３実施形態）
【図１６】移乗機器と着衣支援便座の側面図である。（第３実施形態）
【図１７】移乗機器と着衣支援便座の側面図である。（第３実施形態）
【図１８】移乗機器と着衣支援便座の側面図である。（第３実施形態）
【図１９】移乗機器と着衣支援便座の側面図である。（第３実施形態）
【図２０】リフターと着衣支援便座の側面図である。（第４実施形態）
【図２１】リフターと着衣支援便座の側面図である。（第４実施形態）
【図２２】リフターと着衣支援便座の側面図である。（第４実施形態）
【図２３】リフターと着衣支援便座の側面図である。（第４実施形態）
【図２４】リフターと着衣支援便座の側面図である。（第４実施形態）
【図２５】リフターと着衣支援便座の側面図である。（第４実施形態）
【図２６】リフターと着衣支援便座の側面図である。（第４実施形態）
【図２７】リフターと着衣支援便座の側面図である。（第４実施形態）
【図２８】着衣支援便座の側面図である。（第５実施形態）
【図２９】着衣支援便座の側面図である。（第５実施形態）
【発明を実施するための形態】
【０００９】
（第１実施形態）
以下、図１から図５を参照して、第１実施形態を説明する。
【００１０】
図１及び図２に示すように、着衣支援便座１は、洋式トイレ２の便座３の上に配置して用いられるものである。なお、着衣支援便座１を洋式トイレ２の便器４の上に直接配置して、便座３の代わりとして用いてもよい。
【００１１】
着衣支援便座１は、ベースフレーム５と大腿支持部６を備える。
【００１２】
ベースフレーム５は、平面視でU字状となるように便座３に沿って延びる板体である。
【００１３】
大腿支持部６は、ベースフレーム５上に設けられ、図３に示すように、着座姿勢である要介護者Pの大腿７の下面８に対向可能な部分である。図１に戻り、大腿支持部６は、前方に配置された前方支持部１０と、後方に配置された後方支持部１１と、を有する。前方支持部１０と後方支持部１１は、前後方向で互いに分離している。前方支持部１０と後方支持部１１は、前後方向で若干離れて配置されている。
【００１４】
ここで、「前後方向」とは、洋式トイレ２の前後方向を意味し、着衣支援便座１の長手方向である。また、「前方」は、洋式トイレ２を使用する要介護者の顔の向きと一致する方向であり、「後方」は「前方」と反対の方向である。
【００１５】
前方支持部１０は、平面視でU字状に延びる板体であって、前方に向かって凸となるように湾曲している。本実施形態において前方支持部１０は、ベースフレーム５に対して揺動不能に固定されている。
【００１６】
後方支持部１１は、板体であって、右後方支持部１２と左後方支持部１３を有する。右後方支持部１２と左後方支持部１３は互いに対称の構造であるから、右後方支持部１２を主として説明し、左後方支持部１３の説明は省略する。
【００１７】
図１及び図２に示すように、右後方支持部１２は、ベースフレーム５に対して揺動可能となるように支持されている。
【００１８】
具体的には、右後方支持部１２は、前方部１４と後方部１５を有する。前方部１４は、図１に示すように右後方支持部１２が水平姿勢（着座姿勢）であるときに、右後方支持部１２の前方側となる部分である。後方部１５は、図１に示すように右後方支持部１２が水平姿勢（着座姿勢）であるときに、右後方支持部１２の後方側となる部分である。右後方支持部１２が水平姿勢であるとは、右後方支持部１２の板厚方向が実質的に鉛直方向に対して平行となっていることを意味する。
【００１９】
図１に示すように、右後方支持部１２が水平姿勢であるとき、前方部１４は、ベースフレーム５から上下方向に離間している。即ち、右後方支持部１２が水平姿勢であるとき、前方部１４とベースフレーム５の間には隙間が形成されている。
【００２０】
また、右後方支持部１２の後方部１５は、右後方支持部１２がベースフレーム５に対して揺動可能となるように、ベースフレーム５に連結されている。換言すれば、後方部１５は、右後方支持部１２が上方に揺動可能となるようにベースフレーム５に連結されている。即ち、図２に示すように、後方部１５は、揺動軸１６を有する。後方部１５は、揺動軸１６を介してベースフレーム５に連結されている。揺動軸１６は、図１の洋式トイレ２の幅方向に延びる軸である。ここで、洋式トイレ２の幅方向とは、略楕円形状の便器４の短軸に対して平行な方向である。そして、右後方支持部１２は、図１に示すように前方に倒されて水平姿勢となった状態と、図２に示すように上方に跳ね上げられて後方部１５の板厚方向が前後方向に対して平行となる直立姿勢となった状態と、の間の範囲内で揺動可能となっている。
【００２１】
次に、図３〜図５を参照して、着衣支援便座１に座っている要介護者Pの下肢に介護者が被服Qを着衣させる工程を説明する。
【００２２】
先ず、予め図１に示すように後方支持部１１を前方に倒して水平状態としておく。この状態で、図３に示すように、要介護者Pの下肢に着衣されている被服Qを足首まで引き下ろした上で、要介護者Pを着衣支援便座１に着座させる。
【００２３】
用を足した後、着衣支援便座１に座っている要介護者Pの下肢に介護者が被服Qを着衣させるには、先ず、要介護者Pを着座姿勢としたままで、要介護者Pの下肢を若干浮かせて前方支持部１０と大腿７との間に隙間を作り、この隙間に被服Qの腰回りを挿入する。続いて、図４に示すように、被服Qの腰回りを前方支持部１０と後方支持部１１の間の隙間から、後方支持部１１とベースフレーム５との間に滑り込ませ、浮かせていた要介護者Pの下肢を再び下ろす。このとき、後方支持部１１は被服Qの内側に挿入されることになる。そして、図５に示すように、要介護者Pを立ち上がらせると、後方支持部１１が上方へ揺動することで被服Qから自動的に引き抜かれる。最後に、被服Qが要介護者Pの臀部をしっかり覆うように、介護者が被服Qを更に引き上げる。従って、着衣支援便座１に座っている要介護者Pの下肢に介護者が被服Qを着衣させるに際し、介護者の負担を軽減することができる。
【００２４】
なお、図５に示すように、要介護者Pを立ち上がらせるに際し、前方支持部１０が能動的に前傾するようにして、要介護者Pの立ち上がりを支援することが好ましい。前方支持部１０が能動的に前傾する機構としては、前方支持部１０に揺動軸を設け、揺動軸を介して前方支持部１０をベースフレーム５に連結した上で、電動機や空気シリンダー、油圧シリンダーなどにより前方支持部１０を前傾させる構成が考えられる。また、電動機に代えて圧縮コイルばねを用いることもできる。このように、前方支持部１０が能動的に前傾するような構成を採用することで、要介護者Pの立ち上がりを支援する介護者の負担を更に軽減することができる。
【００２５】
上記第1実施形態は以下の特徴を有する。
【００２６】
着衣支援便座１は、ベースフレーム５と、ベースフレーム５上に設けられ、着座姿勢である要介護者Pの大腿支持部６の下面８に対向可能な大腿支持部６と、を備える。大腿支持部６は、前方に配置された前方支持部１０と、後方に配置された後方支持部１１と、を有する。前方支持部１０と後方支持部１１は前後方向で互いに分離している。後方支持部１１の前方部１４はベースフレーム５から上下方向に離間している。後方支持部１１の後方部１５は、後方支持部１１が上方に揺動可能となるように、ベースフレーム５に連結されている。以上の構成によれば、着衣支援便座１に座っている要介護者Pの下肢に介護者が被服Qを着衣させるに際し、介護者の負担を軽減することができる。
【００２７】
なお、前方支持部１０の具体的な寸法としては、前方支持部１０が大腿７に対して、膝裏から大腿７中央あたりにかけて接触可能となるような寸法が好ましい。また、後方支持部１１の具体的な寸法としては、被服Qは後方支持部１１を要介護者Pの臀部と共に覆うので、後方支持部１１は板厚が１０ｍｍ以下の板状プレートとするとよい。また、要介護者Pの着座時に要介護者Pの重心が後方支持部１１に乗るので、後方支持部１１の前後方向の寸法は５０ｍｍ以上とするとよい。また、水平姿勢である後方支持部１１とベースフレーム５の間には、被服Qの腰回りを円滑に通すために１０ｍｍ以上の隙間が形成されているとよい。
【００２８】
（第２実施形態）
以下、図６〜図１１を参照して、第２実施形態を説明する。以下、第２実施形態が上記第１実施形態と相違する点を中心に説明し、重複する説明は省略する。
【００２９】
図６及び図７に示すように、本実施形態において前方支持部１０は、前方固定部１７及び２つの前方可動部１８を有する。前方固定部１７は２つの前方可動部１８よりも前方側に配置され、ベースフレーム５に固定されている。前方固定部１７は、平面視で見ると前方に向かって凸となるU字状に形成されている。２つの前方可動部１８は前方固定部１７よりも後方側に配置され、前方固定部１７に対して揺動可能となるように前方固定部１７に連結されている。図８に示すように、２つの前方可動部１８は、揺動軸２０を介して、前方固定部１７の２つの後方端にそれぞれ取り付けられている。前方支持部１０は、更に、回転規制機構１９を有する。回転規制機構１９は、各前方可動部１８の水平状態を維持する役割と、各前方可動部１８が自重により下方へ傾斜することを許容する役割と、を担う機構である。図８及び図９に示すように、回転規制機構１９は、揺動軸２０の回転を規制するプランジャピン２１と、プランジャピン２１を操作するハンドル２２と、を備えている。プランジャピン２１が揺動軸２０に挿入されると各前方可動部１８の自重による下方への回転は禁止され、もって、各前方可動部１８の水平状態が維持される。ハンドル２２を引くと、プランジャピン２１が揺動軸２０から抜去され、各プランジャピン２１が自重により下方へと回転する。
【００３０】
以上の構成によれば、図１０に示すように、各前方可動部１８を水平状態としておくことで、前方支持部１０と後方支持部１１との間の隙間が小さくなり、着衣支援便座１に着座している要介護者Pの荷重が広い面積に分散される。これにより、要介護者Pが長時間、着衣支援便座１に着座していても要介護者Pへの負担を軽減できる。また、着衣支援便座１に座っている要介護者Pの下肢に介護者が被服Qを着衣させる際は、ハンドル２２を手前に引けばよい。すると、各プランジャピン２１が揺動軸２０から抜去されることで揺動軸２０が自重により下方に回転し、図１１に示すように、前方支持部１０と後方支持部１１の間に十分な隙間が形成されることになる。
【００３１】
（第３実施形態）
次に、図１２〜図１９を参照して、第３実施形態を説明する。以下、本実施形態が上記第２実施形態と相違する点を中心に説明し、重複する説明は省略する。
【００３２】
第３実施形態では、図１２に示すように、大腿裏保持式昇降リフト３０と昇降式フットステップ３１を備える移乗機器３２を用いる場合について説明する。
【００３３】
大腿裏保持式昇降リフト３０は、台車３３に２つの昇降式アクチュエータ３４を設け、昇降式アクチュエータ３４を駆動することで２つのサイドアーム３５をそれぞれ上下動させる。各サイドアーム３５は、例えば、ボールねじや台形ねじ機構を含んで構成される。各サイドアーム３５には、水平旋回可能な大腿支持プレート３６が設けられている。
【００３４】
昇降式フットステップ３１は、フットステップ３７と、フットステップ３７を上下動させる昇降アクチュエータ３８と、を有する。
【００３５】
次に、図１３〜図１９を参照して、着衣支援便座１に座っている要介護者Pの下肢に介護者が被服Qを着衣させる工程を説明する。
【００３６】
先ず、予め後方支持部１１を前方に倒して水平状態としておく。また、各前方可動部１８を水平状態としておく。この状態で、要介護者Pの下肢に着衣されていた被服Qを足首まで引き下ろした上で、要介護者Pを着衣支援便座１に着座させる。そして、要介護者Pの両足を昇降式フットステップ３１のフットステップ３７に載せる。
【００３７】
用を足した後、着衣支援便座１に座っている要介護者Pの下肢に介護者が被服Qを着衣させるには、図１４に示すように、先ず、要介護者Pを着座姿勢としたままで、昇降アクチュエータ３８を駆動してフットステップ３７を上昇させることで、要介護者Pの下肢を若干浮かせ、前方支持部１０と大腿７との間に隙間を作る。
【００３８】
次に、図１５に示すように、ハンドル２２を手前に引くことで、前方支持部１０の前方可動部１８を下方へ回転させ、前方支持部１０と後方支持部１１の間に隙間が形成された状態とする。
【００３９】
続いて、図１６に示すように、被服Qの腰回りを、前方支持部１０と大腿７との間の隙間に挿入し、前方支持部１０と後方支持部１１の間の隙間から、後方支持部１１とベースフレーム５との間に滑り込ませる。このとき、後方支持部１１は被服Qの内側に挿入されることになる。
【００４０】
次に、図１７に示すように、大腿支持プレート３６を内側に旋回させて、大腿支持プレート３６を大腿７と前方支持部１０の間に挿入する。この状態で、図１８に示すように、昇降アクチュエータ３８を駆動してフットステップ３７を下降させることで、要介護者Pの下肢を下ろす。
【００４１】
そして、図１９に示すように、２つの昇降式アクチュエータ３４を駆動することで、要介護者Pを上昇させる。すると、要介護者Pは、後方支持部１１に支持された状態から大腿支持プレート３６に支持された状態へと徐々に遷移すると共に、後方支持部１１が上方へ揺動することで被服Qから自動的に引き抜かれる。最後に、被服Qが要介護者Pの臀部をしっかり覆うように、介護者が被服Qを更に引き上げる。従って、着衣支援便座１に座っている要介護者Pの下肢に介護者が被服Qを着衣させるに際し、介護者の負担を軽減することができる。
【００４２】
（第４実施形態）
次に、図２０〜図２７を参照して、第４実施形態を説明する。以下、本実施形態が上記第２実施形態と相違する点を中心に説明し、重複する説明は省略する。
【００４３】
第４実施形態では、リフター４０を用いる場合について説明する。
【００４４】
先ず、予め後方支持部１１を前方に倒して水平状態としておく。また、各前方可動部１８を水平状態としておく。この状態で、要介護者Pの下肢に着衣されていた被服Qを足首まで引き下ろした上で、図２０に示すように、要介護者Pを着衣支援便座１に着座させる。そして、要介護者Pの両足を昇降式フットステップ４１のフットステップ４２に載せる。
【００４５】
用を足した後、着衣支援便座１に座っている要介護者Pの下肢に介護者が被服Qを着衣させるには、図２１に示すように、先ず、要介護者Pを着座姿勢としたままで、昇降アクチュエータ４３を操作してフットステップ４２を上昇させることで、要介護者Pの下肢を若干浮かせて前方支持部１０と大腿７との間に隙間を作る。
【００４６】
次に、ハンドル２２を手前に引くことで、前方支持部１０の前方可動部１８を下方へ回転させ、前方支持部１０と後方支持部１１の間に隙間が形成された状態とする。
【００４７】
続いて、図２３に示すように、被服Qの腰回りを、前方支持部１０と大腿７との間の隙間に挿入し、前方支持部１０と後方支持部１１の間の隙間から、後方支持部１１とベースフレーム５との間に滑り込ませる。このとき、後方支持部１１は被服Qの内側に挿入されることになる。
【００４８】
次に、図２４に示すように、リフター４０を要介護者Pに近づけて、大腿スリング４４及び背面保持スリング４５を要介護者Pに装着し、大腿スリング４４及び背面保持スリング４５をハンガー４６に引っ掛ける。
【００４９】
この状態で、図２５に示すように、昇降アクチュエータ４３を操作してフットステップ４２を下降させることで、要介護者Pの下肢を下ろす。この状態で、要介護者Pは、大腿スリング４４及び後方支持部１１によって支持されることになる。
【００５０】
そして、図２６に示すように、リフター４０でハンガー４６を上昇させて要介護者Pを持ち上げる。すると、要介護者Pは、大腿スリング４４及び後方支持部１１に支持された状態から大腿スリング４４に単独で支持された状態へと徐々に遷移すると共に、後方支持部１１が上方へ揺動することで被服Qから自動的に引き抜かれる。最後に、図２７に示すように、被服Qが要介護者Pの臀部をしっかり覆うように、介護者が被服Qを更に引き上げる。従って、着衣支援便座１に座っている要介護者Pの下肢に介護者が被服Qを着衣させるに際し、介護者の負担を軽減することができる。
【００５１】
（第５実施形態）
次に、図２８〜図２９を参照して、第５実施形態を説明する。以下、本実施形態が上記第２実施形態と相違する点を中心に説明し、重複する説明は省略する。
【００５２】
上記各実施形態では、立位することのできない要介護者Pが着衣支援便座１を利用する場面を想定している。これに対し、本実施形態では、少しだけなら立位をとれる要介護者Pが着衣支援便座１を利用する場面を想定する。即ち、このような要介護者Pが用を足す際は、下肢の被服Qは足首あたりまで下げられているので、要介護者Pの立位後に介護者が被服Qを要介護者Pの下肢に着衣させるには時間を要する。そこで、着衣支援便座１を用いれば、着座状態の要介護者Pに対し、被服Qを要介護者Pの大腿７の下面８まで着衣させることができるので、立位後には被服Qで要介護者Pの臀部を覆うだけで被服Qの着衣が完了し、もって、要介護者Pに被服Qを着衣させるのに要する時間を短縮できる。具体的には以下の通りである。
【００５３】
図２８には、被服Qの腰回りが、前方支持部１０と大腿７との間の隙間に挿入され、前方支持部１０と後方支持部１１の間の隙間から、後方支持部１１とベースフレーム５との間に挿入されている状態を示している。このとき、後方支持部１１は被服Qの内側に挿入されることになる。この状態から、介護者は要介護者Pに適宜手を添えるなどして立位を支援しつつ、要介護者Pが立位する。すると、後方支持部１１が上方へ揺動することで被服Qから自動的に引き抜かれる。最後に、図２９に示すように、被服Qが要介護者Pの臀部をしっかり覆うように、介護者が被服Qを更に引き上げる。
【符号の説明】
【００５４】
１  着衣支援便座
２  洋式トイレ
３  便座
４  便器
５  ベースフレーム
６  大腿支持部
７  大腿
８  下面
１０  前方支持部
１１  後方支持部
１２  右後方支持部
１３  左後方支持部
１４  前方部
１５  後方部
１６  揺動軸
１７  前方固定部
１８  前方可動部
１９  回転規制機構
２０  揺動軸
２１  プランジャピン
２２  ハンドル
３０  大腿裏保持式昇降リフト
３１  昇降式フットステップ
３２  移乗機器
３３  台車
３４  昇降式アクチュエータ
３５  サイドアーム
３６  大腿支持プレート
３７  フットステップ
３８  昇降アクチュエータ
４０  リフター
４１  昇降式フットステップ
４２  フットステップ
４３  昇降アクチュエータ
４４  大腿スリング
４５  背面保持スリング
４６  ハンガー
【図１】
2018000726.tif 000003
【図２】
2018000726.tif 000004
【図３】
2018000726.tif 000005
【図４】
2018000726.tif 000006
【図５】
2018000726.tif 000007
【図６】
2018000726.tif 000008
【図７】
2018000726.tif 000009
【図８】
2018000726.tif 000010
【図９】
2018000726.tif 000011
【図１０】
2018000726.tif 000012
【図１１】
2018000726.tif 000013
【図１２】
2018000726.tif 000014
【図１３】
2018000726.tif 000015
【図１４】
2018000726.tif 000016
【図１５】
2018000726.tif 000017
【図１６】
2018000726.tif 000018
【図１７】
2018000726.tif 000019
【図１８】
2018000726.tif 000020
【図１９】
2018000726.tif 000021
【図２０】
2018000726.tif 000022
【図２１】
2018000726.tif 000023
【図２２】
2018000726.tif 000024
【図２３】
2018000726.tif 000025
【図２４】
2018000726.tif 000026
【図２５】
2018000726.tif 000027
【図２６】
2018000726.tif 000028
【図２７】
2018000726.tif 000029
【図２８】
2018000726.tif 000030
【図２９】
2018000726.tif 000031